(57)【要約】【課題】ファイル、バインダ、ホルダ、手帳やメニュー等の板状物の縁に固着して、装飾性を持たせるとともに、滑りにくくすることにより実用性を高めた縁保護具および縁保護具セットの提供。【解決手段】２つ折りメニュー２の縁３と対面する底面部１０ｃとその両側の側面部１０ｄとを有し、底面部１０ｃに開口１０ｅを有する略コ字形断面を有するコーナー金具本体１０と、底面部１０ｃに保持され、開口１０ｅから突出する滑り防止部材１１とを有するコーナー金具１である。【選択図】図１
2011201078.tif 000002
【特許請求の範囲】
【請求項１】
板状物の縁と対面する底面部とその両側の側面部とを有し、前記底面部に開口を有する略コ字形断面を有する縁保護具本体と、
前記底面部に保持され、前記開口から突出する滑り防止部材と
を有する縁保護具。
【請求項２】
前記縁保護具本体は、Ｌ字形に屈曲した両腕部を有し、この両腕部は共に前記底面部および前記両側の側面部を有するものである請求項１記載の縁保護具。
【請求項３】
前記開口は複数であり、前記滑り防止部材は前記複数の開口からそれぞれ突出するものである請求項１記載の縁保護具。
【請求項４】
前記滑り防止部材はゴムである請求項１または２に記載の縁保護具。
【請求項５】
請求項１から４のいずれかに記載の複数の縁保護具からなり、
少なくとも１つは磁石を有するものであり、
少なくとも１つは前記磁石に引き寄せられる磁性体を有するものである
縁保護具セット。
【発明の詳細な説明】
【技術分野】
【０００１】
本発明は、ファイル、バインダ、ホルダ、手帳やメニュー等の板状物の縁に固着される縁保護具および縁保護具セットに関する。
【背景技術】
【０００２】
ファイルや手帳の表紙等の角を保護するため、コーナー金具が用いられる（非特許文献１参照。）。従来のコーナー金具は、例えば特許文献１に記載のように、Ｌ字形に屈曲した両腕部を有し、かつその両腕部は共に表紙の縁と対面する底面部とその両側の側面部とを有してＵ字形の断面を呈するように形成されている。
【先行技術文献】
【特許文献】
【０００３】
【特許文献１】実開平５−８２５７４号公報
【非特許文献】
【０００４】
【非特許文献１】“コーナー金具”，［online］，株式会社岡野製作所，［平成２２年２月１５日検索］，インターネット＜ＵＲＬ：http://www.lkip-os.co.jp/sumigane.html＞
【発明の概要】
【発明が解決しようとする課題】
【０００５】
特許文献１および非特許文献１に記載のように、従来のコーナー金具は単純なデザインであり、装飾性に乏しい。また、従来のコーナー金具は、表面が滑らかな金属により形成されており、滑りやすい。
【０００６】
そこで、本発明においては、ファイル、バインダ、ホルダ、手帳やメニュー等の板状物の縁に固着して、装飾性を持たせるとともに、滑りにくくすることにより実用性を高めた縁保護具および縁保護具セットを提供することを目的とする。
【課題を解決するための手段】
【０００７】
本発明の縁保護具は、板状物の縁と対面する底面部とその両側の側面部とを有し、底面部に開口を有する略コ字形断面を有する縁保護具本体と、底面部に保持され、開口から突出する滑り防止部材とを有するものである。
【０００８】
本発明の縁保護具は、ファイル、バインダ、ホルダ、手帳やメニュー等の板状物の縁に固着した状態で、縁保護具本体の底面部の開口から滑り防止部材が突出している。そのため、この縁保護具を取り付けた板状物はテーブル上などに立たせた際に、滑り防止部材がテーブル等の上面に接触するため、滑りにくくなる。
【０００９】
ここで、開口は複数であり、滑り防止部材は複数の開口からそれぞれ突出するものであることが望ましい。複数の開口から滑り防止部材が突出してテーブル等の上面に複数箇所で接触することにより、より滑りにくくなる。また、滑り防止部材はゴムであることが望ましい。これにより、滑り防止部材がゴムの弾性によりテーブル等の上面に対してさらに滑りにくくなる。
【００１０】
また、本発明の縁保護具セットは、上記複数の縁保護具からなり、少なくとも１つは磁石を有するものであり、少なくとも１つは磁石に引き寄せられる磁性体を有するものである。本発明の縁保護具セットによれば、磁石を有する縁保護具と磁性体を有する縁保護具とが引き合って着脱可能に引っ付くようになる。
【発明の効果】
【００１１】
（１）板状物の縁と対面する底面部とその両側の側面部とを有し、底面部に開口を有する略コ字形断面を有する縁保護具本体と、底面部に保持され、開口から突出する滑り防止部材とを有する縁保護具によれば、この縁保護具を取り付けたファイル、バインダ、ホルダ、手帳やメニュー等の板状物はテーブル上などに立たせた際に、滑り防止部材がテーブル等の上面に接触するため、滑りにくくなるので、板状物を立て掛けた状態で維持することが可能となる。また、２つ折り以上の板状物に設けることで、この板状物を広げた状態で自立させることが可能となる。さらに、この縁保護具は、縁保護具本体の開口から滑り防止部材が突出した外観を有しており、従来よりも装飾性に優れている。
【００１２】
（２）開口が複数であり、滑り防止部材が複数の開口からそれぞれ突出するものであることにより、複数の開口から滑り防止部材が突出してより滑りにくくなり、板状物をより安定して立て掛けたり、自立させたりすることが可能となる。
【００１３】
（３）滑り防止部材がゴムであることにより、さらに滑りにくくなり、板状物をさらに安定して立て掛けたり、自立させたりすることが可能となる。
【００１４】
（４）上記複数の縁保護具からなり、少なくとも１つは磁石を有するものであり、少なくとも１つは磁石に引き寄せられる磁性体を有する縁保護具セットによれば、磁石を有する縁保護具と磁性体を有する縁保護具とが引き合って着脱可能に引っ付くようになるので、展開して自立させたり、折り畳んでコンパクトに展示したり収納したりすることが容易となる。
【図面の簡単な説明】
【００１５】
【図１】本発明の一実施形態を示すコーナー金具を取り付けた２つ折りメニューの図であって、（ａ）は正面図、（ｂ）は斜視図である。
【図２】図１のコーナー金具の斜視図である。
【図３】図２のコーナー金具本体の展開図である。
【図４】図２の滑り防止部材を示す図であって、（ａ）は斜視図、（ｂ）は正面図、（ｃ）は平面図である。
【図５】本発明の別の実施形態を示すコーナー金具および縁金具を取り付けた３つ折りメニューの図であって、（ａ）は平面状に広げた状態を示す図、（ｂ）は少し観音折りした状態を示す図、（ｃ）は少し外３つ折りした状態を示す図である。
【図６】図５の３つ折りメニューを筒状に３つ折りした状態を示す図である。
【発明を実施するための形態】
【００１６】
図１は本発明の一実施形態を示すコーナー金具を取り付けた２つ折りメニューの図であって、（ａ）は正面図、（ｂ）は斜視図である。図２は図１のコーナー金具の斜視図である。図３は図２のコーナー金具本体の展開図である。図４は図２の滑り防止部材を示す図であって、（ａ）は斜視図、（ｂ）は正面図、（ｃ）は平面図である。
【００１７】
図１において、本発明の縁保護具の一実施形態としてのコーナー金具１は、板状物としての２つ折りメニュー２の縁３の４つの角部３ａ，３ｂ，３ｃ，３ｄに固着されている。それぞれのコーナー金具１は、縁保護具本体としての略コ字形断面を有するコーナー金具本体１０と、２つの滑り防止部材１１とから構成されている。
【００１８】
図２に示すように、コーナー金具本体１０は金属製であり、Ｌ字状に屈曲した両腕部１０ａ，１０ｂを有する。両腕部１０ａ，１０ｂは、共に２つ折りメニュー２の縁３と対面する底面部１０ｃと、その両側の側面部１０ｄとを有する。また、両腕部１０ａ，１０ｂの両底面部１０ｃには、それぞれ２つの開口１０ｅが形成されている。
【００１９】
滑り防止部材１１は、シリコンなどのゴムにより形成されている。図４に示すように、滑り防止部材１１は、平板状のベース部１１ａ上に２つの山部１１ｂ，１１ｂが形成されたものである。滑り防止部材１１は、コーナー金具本体１０の両腕部１０ａ，１０ｂにそれぞれ１つずつ配置される。２つの山部１１ｂは直方体状であり、両腕部１０ａ，１０ｂの両底面部１０ｃの２つの開口１０ｅに対応する位置に形成されている。
【００２０】
上記構成のコーナー金具１は、コーナー金具本体１０の両腕部１０ａ，１０ｂにそれぞれ１つずつ滑り防止部材１１が配置され、両腕部１０ａ，１０ｂの両底面部１０ｃのそれぞれの開口１０ｅから滑り防止部材１１の山部１１ｂが突出した状態で使用される。
【００２１】
このコーナー金具１が縁３の４つの角部３ａ〜３ｄに固着された２つ折りメニュー２では、図１（ｂ）に示すように山形に２つ折りした状態でテーブルＴ等の上面に載置すると、ゴム製の滑り防止部材１１が接触するため、滑りにくい。そのため、この２つ折りメニュー２は、このように山形に２つ折りした状態を維持したまま自立する。
【００２２】
図５は本発明の別の実施形態を示すコーナー金具および縁金具を取り付けた３つ折りメニューの図であって、（ａ）は平面状に広げた状態を示す図、（ｂ）は少し観音折りした状態を示す図、（ｃ）は少し外３つ折りした状態を示す図である。図６は図５の３つ折りメニューを筒状に３つ折りした状態を示す図である。
【００２３】
図５に示す例では、板状物としての３つ折りメニュー４の縁５の４つの角部５ａ，５ｂ，５ｃ，５ｄにそれぞれ前述のコーナー金具１が固着されている他、上部および下部の縁５の中央部５ｅ，５ｆにそれぞれ縁保護具としての縁金具６が固着されている。縁金具６は、前述のコーナー金具１の１つの腕部１０ａと同様の真直状の腕部を有し、同様にこの腕部内に滑り防止部材１１が配置されたものである。
【００２４】
このようにコーナー金具１が縁５の４つの角部５ａ〜５ｄに固着され、縁金具６が縁５の中央部５ｅ，５ｆに固着された３つ折りメニュー４では、図５（ａ）に示すように平面状に広げた状態でテーブル等の上面に載置して壁面に立て掛けると、下部のコーナー金具１および縁金具６からそれぞれ突出したゴム製の滑り防止部材１１がテーブル等の上面に接触して滑りにくいため、その状態で維持される。
【００２５】
また、この３つ折りメニュー４は、図５（ｂ）に示すように少し観音折りした状態か、図５（ｃ）に示すように少し外３つ折りした状態とすれば、テーブル等の上面に載置するだけで自立させることが可能である。
【００２６】
また、上記コーナー金具１は、コーナー金具本体１０や滑り防止部材１１に磁石を付加したり、コーナー金具本体１０や滑り防止部材１１自体を磁石により形成したりしたコーナー金具１ａと、コーナー金具本体１０をこの磁石に引き寄せられる磁性体、例えば鉄などにより形成したコーナー金具１ｂとを組み合わせることも可能である。
【００２７】
そして、図６に示すように、縁５の４つの角部５ａ〜５ｄの左右一方の角部５ａ，５ｃにコーナー金具１ａを固着し、他方の角部５ｂ，５ｄにコーナー金具１ｂを固着すると、これらのコーナー金具１ａ，１ｂは引き合って着脱可能に引っ付くようになる。これにより、図６に示すように折り畳んでコンパクトに展示したり、収納したり、これを展開して自立させたりすることが容易となる。
【００２８】
また、上記コーナー金具１，１ａ，１ｂでは、コーナー金具本体１０と滑り防止部材１１とを別部材により形成しているので、それぞれの材質を変えたり、色を変えたりして装飾性を持たせることも容易である。なお、コーナー金具本体１０は、ステンレス鋼、鉄、アルミニウム、銅や真鍮等の金属の他、プラスチックなどにより形成することが可能である。また、滑り防止部材１１は、上記ゴムの他、ウレタンやＰＶＣ（ポリ塩化ビニル）などにより形成することが可能である。
【産業上の利用可能性】
【００２９】
本発明の縁保護具および縁保護具セットは、ファイル、バインダ、ホルダ、手帳やメニュー等の板状物の縁に固着して保護するものとして有用である。
【符号の説明】
【００３０】
１，１ａ，１ｂ  コーナー金具
２  ２つ折りメニュー
４  ３つ折りメニュー
６  縁金具
１０  コーナー金具本体
１１  滑り防止部材
【図１】
2011201078.tif 000003
【図２】
2011201078.tif 000004
【図３】
2011201078.tif 000005
【図４】
2011201078.tif 000006
【図６】
2011201078.tif 000007
【図５】
2011201078.tif 000008
【手続補正書】
【提出日】平成22年3月25日(2010.3.25)
【手続補正１】
【補正対象書類名】特許請求の範囲
【補正対象項目名】請求項４
【補正方法】変更
【補正の内容】
【請求項４】
前記滑り防止部材はゴムである請求項１から３のいずれかに記載の縁保護具。